(57)【特許請求の範囲】
【請求項１】
展示用警報器が固定されるとともに、外部から当該展示用警報器を視認可能な開口部を有する展示空間を備える筐体と、
前記開口部を覆うとともに、透明状態と白濁状態とに制御可能な前面板と、
少なくとも擬似煙濃度の入力を受付可能な操作部と、
を備えた火災警報器の展示装置であって、
前記操作部が擬似煙濃度の入力を受け付けた場合に、前記前面板を白濁状態に制御するとともに、
前記操作部が入力を受け付けた擬似煙濃度が所定の火災検知閾値以上の場合に、火災警報を出力することを特徴とする火災警報器の展示装置。
【請求項２】
前記前面板は、その白濁度を複数段階に制御可能であるとともに、前記操作部は前記擬似煙濃度を複数段階に入力可能であり、
前記操作部が入力を受け付けた前記擬似煙濃度に対応させて、前記前面板の白濁度を制御することを特徴とする請求項１に記載の火災警報器の展示装置。
【請求項３】
前記展示空間を照明する光源を更に有する火災警報器の展示装置であって、
前記操作部は、更に、擬似ＣＯ濃度の入力を受付可能であり、
前記光源は、前記操作部に入力された前記擬似ＣＯ濃度に基づいて、その発光色を変化させるものであり、
当該操作部に入力された前記擬似ＣＯ濃度が、予め定められたＣＯ警報基準値以上の場合に、所定のＣＯ濃度警報を出力することを特徴とする請求項１又は請求項２に記載の火災警報器の展示装置。
【請求項４】
前記擬似ＣＯ濃度の入力値が前記ＣＯ警報基準値よりも低い所定のＣＯ濃度異常値を超える場合に、前記火災検知閾値を通常値よりも低い値に引き下げることを特徴とする請求項３に記載の火災警報器の展示装置。
【請求項５】
前記展示空間は、前記展示用警報器が固定される第一展示領域と、当該第一展示領域と間仕切られた第二展示領域とを有しており、
前記操作部は、前記第一展示領域の擬似煙濃度と前記第二展示領域の擬似煙濃度との入力をそれぞれ受付可能であり、
前記第一展示領域の擬似煙濃度の入力値が前記火災検知閾値以上の場合に火災警報を出力し、
前記第二展示領域の擬似煙濃度の入力値が所定の煙濃度異常値を超える場合に、前記火災検知閾値を通常値よりも低い値に引き下げることを特徴とする請求項１から請求項４のいずれかに記載の火災警報器の展示装置。
【請求項６】
前記筐体は、住宅を模した形状であり、前記第一展示領域と前記第二展示領域が同一建物内の別室であることを認識できるように、前記筐体の色及び模様を同一の態様とし、前記筐体の前記第一展示領域及び前記第二展示領域の上側の上面形状が一つの屋根形状に形成されることを特徴とする請求項５に記載の火災警報器の展示装置。
【請求項７】
前記展示空間は、前記展示用警報器が固定される第一展示領域と、当該展示用警報器とは異なる比較用警報器が固定される比較対象展示領域とに間仕切られており、
前記比較用警報器は、前記展示用警報器とは異なる条件で、火災警報を出力することを特徴とする請求項１から請求項６のいずれかに記載の火災警報器の展示装置。
【請求項８】
前記筐体は、住宅を模した形状であり、前記第一展示領域及び前記比較対象展示領域が互いに別の建物であることを認識できるように、前記筐体の色又は模様を異ならせ或いは前記筐体の上面形状を前記第一展示領域の上側と前記比較対象展示領域の上側とで分けられた屋根形状に形成されることを特徴とする請求項７に記載の火災警報器の展示装置。
【発明の詳細な説明】
【技術分野】
【０００１】
本発明は、火災警報器の展示装置に関し、火災警報器の性能をわかりやすく示すことができる展示装置に関する。
【背景技術】
【０００２】
従来より、住宅、オフィス、又は公共施設などの建物において、火災の発生を報知する火災警報器が設置されている。火災警報器は、例えば、煙濃度を感知するセンサを備えており、センサが感知する煙濃度が予め定められた閾値を超えた場合に火災の発生と判断して、警報を出力し、消火活動や避難を促すものである。
【０００３】
火災警報器は、できる限り早く火災を感知し、早期に消火活動や避難を開始するほうが望ましいが、一方で、煙濃度を低い閾値で火災の発生と判断するように設定すると、誤警報が多くなる問題がある。
【０００４】
そこで、本願出願人は、一酸化炭素濃度を検知するセンサを備えており、一酸化炭素濃度が異常値を示す場合に、火災と判断する煙濃度の閾値を引き下げる火災警報器、及び、他の居室などに設置された火災警報器の煙濃度が異常値を示す場合に、火災と判断する煙濃度の閾値を引き下げる火災警報器を提案した（特許文献１）。これによると、他に異常があった場合には、通常よりも低い煙濃度でも火災と判断して警報を出力することができるので、火災を早期に感知することができるとともに、他に異常がなかった場合には通常の煙濃度で火災の発生を判断するので、誤警報を抑制することができる。
【先行技術文献】
【特許文献】
【０００５】
【特許文献１】特許第５２９１７４３号公報
【発明の概要】
【発明が解決しようとする課題】
【０００６】
ところで、特許文献１のような火災警報器は、外観を見ただけでは、その優れた性能を理解することは困難である。したがって、その性能を説明するためには、物を燃やすか、又は発炎筒などを用いて煙を発生させ、或いは、水蒸気などを発生させて、火災の際の煙が発生した状態と類似する状態を発生させて、火災警報器を実際に動作させる必要があった。
【０００７】
しかし、物を燃やす場合には、危険である上に、換気に配慮する必要もあり、また、発炎筒を用いた場合にも換気が必要となり、煙が実際の火災の発生と誤認される恐れもある。また、例えば水蒸気を用いると、さびの原因や機器の故障につながる恐れがある。しかも、煙や水蒸気を用いて火災警報器を実際に動作させたとしても、それだけで火災警報器の性能を十分に説明することは困難である。
【０００８】
そこで、本発明は、安全、且つ、換気の必要もなく、火災警報器の性能をわかり易く説明することができる火災警報器の展示装置を提供することを目的とする。
【課題を解決するための手段】
【０００９】
請求項１に記載の火災警報器の展示装置は、展示用警報器が固定されるとともに、外部から当該展示用警報器を視認可能な開口部を有する展示空間を備える筐体と、前記開口部を覆うとともに、透明状態と白濁状態とに制御可能な前面板と、少なくとも擬似煙濃度の入力を受付可能な操作部と、を備えた火災警報器の展示装置であって、前記操作部が擬似煙濃度の入力を受け付けた場合に、前記前面板を白濁状態に制御するとともに、前記操作部が入力を受け付けた擬似煙濃度が所定の火災検知閾値以上の場合に、火災警報を出力することを特徴としている。
【００１０】
請求項２に記載の火災警報器の展示装置は、前記前面板は、その白濁度を複数段階に制御可能であるとともに、前記操作部は前記擬似煙濃度を複数段階に入力可能であり、前記操作部が入力を受け付けた前記擬似煙濃度に対応させて、前記前面板の白濁度を制御することを特徴としている。
【００１１】
請求項３に記載の火災警報器の展示装置は、前記展示空間を照明する光源を更に有する火災警報器の展示装置であって、前記操作部は、更に、擬似ＣＯ濃度の入力を受付可能であり、前記光源は、前記操作部に入力された前記擬似ＣＯ濃度に基づいて、その発光色を変化させるものであり、当該操作部に入力された前記擬似ＣＯ濃度が、予め定められたＣＯ警報基準値以上の場合に、所定のＣＯ濃度警報を出力することを特徴としている。
【００１２】
請求項４に記載の火災警報器の展示装置は、前記擬似ＣＯ濃度の入力値が前記ＣＯ警報基準値よりも低い所定のＣＯ濃度異常値を超える場合に、前記火災検知閾値を通常値よりも低い値に引き下げることを特徴としている。
【００１３】
請求項５に記載の火災警報器の展示装置は、前記展示空間は、前記展示用警報器が固定される第一展示領域と、当該第一展示領域と間仕切られた第二展示領域とを有しており、前記操作部は、前記第一展示領域の擬似煙濃度と前記第二展示領域の擬似煙濃度との入力をそれぞれ受付可能であり、前記第一展示領域の擬似煙濃度の入力値が前記火災検知閾値以上の場合に火災警報を出力し、前記第二展示領域の擬似煙濃度の入力値が所定の煙濃度異常値を超える場合に、前記火災検知閾値を通常値よりも低い値に引き下げることを特徴としている。
【００１４】
請求項６に記載の火災警報器の展示装置は、前記筐体は、住宅を模した形状であり、前記第一展示領域と前記第二展示領域が同一建物内の別室であることを認識できるように、前記筐体の色及び模様を同一の態様とし、前記筐体の前記第一展示領域及び前記第二展示領域の上側の上面形状が一つの屋根形状に形成されることを特徴としている。
【００１５】
請求項７に記載の火災警報器の展示装置は、前記展示空間は、前記展示用警報器が固定される第一展示領域と、当該展示用警報器とは異なる比較用警報器が固定される比較対象展示領域とに間仕切られており、前記比較用警報器は、前記展示用警報器とは異なる条件で、火災警報を出力することを特徴としている。
【００１６】
請求項８に記載の火災警報器の展示装置は、前記筐体は、住宅を模した形状であり、前記第一展示領域及び前記比較対象展示領域が互いに別の建物であることを認識できるように、前記筐体の色又は模様を異ならせ或いは前記筐体の上面形状を前記第一展示領域の上側と前記比較対象展示領域の上側とで分けられた屋根形状に形成されることを特徴としている。
【発明の効果】
【００１７】
請求項１に記載の火災警報器の展示装置によると、操作部が擬似煙濃度を受け付けた場合に、展示空間の開口部を覆う前面板が白濁状態に制御されるので、展示空間に擬似的に煙が充満している状態を示すことができる。そして、擬似煙濃度が所定の火災検知閾値以上の場合に、火災警報を出力するので、煙が充満した状態で火災警報が出力されることを示すことができる。したがって、煙や水蒸気を用いることなく、安全、且つ、換気の必要もなく、火災警報器の性能をわかり易く説明することができる。
【００１８】
請求項２に記載の火災警報器の展示装置によると、操作部は擬似煙濃度を複数段階に入力可能であり、前面板はその白濁度を複数段階に制御可能であり、操作部が入力を受け付けた擬似煙濃度に対応させて、前面板の白濁度が制御されるので、火災などの場合に実際に煙濃度が濃くなる様子を擬似的に再現することができ、火災警報器が警報を出力するタイミングなどをよりわかり易く説明することができる。
【００１９】
請求項３に記載の火災警報器の展示装置によると、操作部が擬似ＣＯ濃度の入力を受付たときに、その擬似ＣＯ濃度に基づいて光源の発光色を変化させるので、展示空間にＣＯが充満する様子をわかり易く説明することができ、展示空間のＣＯ濃度が予め定められたＣＯ警報基準値以上となった場合に、所定のＣＯ濃度警報を出力することをわかり易く説明することができる。ここで、実物のＣＯは無色透明であるので、本来ＣＯが充満したとしても、視認することはできないが、光源の発光色を変化させることで、見た目にわかり易く説明することができる。
【００２０】
請求項４に記載の火災警報器の展示装置によると、擬似ＣＯ濃度の入力値がＣＯ警報基準値よりも低い所定のＣＯ濃度異常値を超える場合に、前記火災検知閾値を通常値よりも低い値に引き下げるので、展示空間のＣＯ濃度に異常があった場合に、通常よりも低い煙濃度でも火災と判断して火災警報を出力することができ、火災を早期に感知することができることをわかり易く説明することができる。
【００２１】
請求項５に記載の火災警報器の展示装置によると、第二展示領域の擬似煙濃度の入力値が所定の煙濃度異常値を超える場合に、火災検知閾値を通常値よりも低い値に引き下げるので、展示空間の第二展示領域の煙濃度に異常があった場合に、第一展示領域では通常よりも低い煙濃度でも火災と判断して火災警報を出力することができ、火災を早期に感知することができることをわかり易く説明することができる。
【００２２】
請求項６に記載の火災警報器の展示装置によると、第一展示領域及び第二展示領域を囲う筐体の色及び模様を同一の態様とし、又は、筐体の第一展示領域及び第二展示領域の上側の上面形状が一つの屋根形状に形成されているので、展示空間の第一展示領域及び第二展示領域が同一建物内の別室を模していることを、わかり易く示すことができる。
【００２３】
請求項７に記載の火災警報器の展示装置によると、比較対象展示領域には、展示用警報機とは異なる条件で火災警報を出力する比較用警報器が固定されているので、他の火災警報器の性能を比較することで、展示用警報器の性能をわかり易く示すことができる。
【００２４】
請求項８に記載の火災警報器の展示装置によると、第一展示領域及び比較対象展示領域を囲う筐体の色又は模様を異ならせ、或いは筐体の上面形状を第一展示領域の上側と比較対象展示領域の上側とで分けられた屋根形状に形成しているので、第一展示領域と比較対象展示領域とが互いに別の建物の一室を模したものであることを、わかり易く示すことができる。
【図面の簡単な説明】
【００２５】
【図１】火災警報器の展示装置の外観を示す斜視図。
【図２】火災警報器の展示装置の機能的構成を示すブロック図。
【図３】操作部の構成を示す一部省略拡大正面図。
【図４】展示空間の構成を示す一部省略拡大正面図。
【図５】表示部の構成を示す一部省略拡大正面図。
【図６】火災警報器の展示装置の制御を示すフローチャート。
【図７】図６における第一ＣＯ濃度入力処理の一例を示すフローチャート。
【図８】図６における第二展示領域の煙濃度入力処理の一例を示すフローチャート。
【発明を実施するための形態】
【００２６】
以下、本発明に係る火災警報器の展示装置１の最良の実施形態について、各図を参照しつつ説明する。火災警報器の展示装置１は、視覚的に火災の発生を模した擬似火災状態を見学者に示し、この擬似火災状態における火災警報器の動作を見せることにより、火災警報器の性能を説明するものであり、例えば住宅設備の展示施設などに設置されるものである。本実施形態においては、火災警報器の展示装置１は、通常の火災警報器に比べて早期に火災の発生を検知することができる高性能警報器の性能を説明するものである。本実施形態における高性能警報器は、同一居室におけるＣＯ濃度と煙濃度を複合して火災発生を判断する複合検知、及び第一居室における煙濃度と第二居室における煙濃度とを組み合わせて火災発生を判断する多点検知を行うことにより、従来よりも早期に火災の発生を検知できるように構成したものである。なお、本発明の火災警報器の展示装置１において性能を説明する火災警報器はこれに限定されるものではなく、少なくとも煙を検知して火災の発生を判断する火災警報器の展示装置１であれば、本発明を適用することができる。
【００２７】
本実施形態における火災警報器の展示装置１は、図１及び図２に示すように、内部に展示空間２を備える筐体３と、展示空間２に設けられる開口部４を覆う透明状態と白濁状態とに制御可能な前面板５と、各種情報の入力を受け付ける操作部６と、擬似火災状態の状況及び火災警報器の状態を見学者に示す表示部７と、各部を制御する主制御部８とを備えている。
【００２８】
筐体３は、火災警報器の展示装置１の外形を形作る箱である。筐体３の下部は見学者側に突き出しており、突き出した部分の上面に操作部６が形成されている。筐体３の上下方向の中間部には展示空間２が形成されている。展示空間２は、図１及び図４に示すように、３つに間仕切られており、見学者から見て左側が比較対象展示領域２３であり、中央が第一展示領域２１であり、右側が第二展示領域２２である。各展示領域には、内部を見学者が視認できる開口部４が設けられている。第一展示領域２１、第二展示領域２２、及び比較対象展示領域２３の開口部４には、第一前面板５１、第二前面板５２、及び第三前面板５３が覆われている。筐体３の各展示領域の上には表示部７が設けられている。なお、表示部７の詳細は後述する。
【００２９】
筐体３は、図１に示すように、住宅を模した形状であり、第一展示領域２１及び第二展示領域２２が同一建物内の別室であり、比較対象展示領域２３が第一展示領域２１及び第二展示領域２２とは別の建物であることを認識できる態様に形成されている。具体的には、第一展示領域２１及び第二展示領域２２の上側に位置する筐体３の上面がひとつの寄棟造の屋根形状に形成されており、比較対象展示領域２３の上側に位置する筐体３の上面が別の寄棟造の屋根形状に形成されている。また、第一展示領域２１及び第二展示領域２２の開口部４が形成されている部分の筐体３の配色及び模様が同一の態様となっており、比較対象展示領域２３の開口部４が形成されている部分の筐体３の配色及び模様が、第一展示領域２１及び第二展示領域２２の開口部４が形成されている部分と異なる態様に形成されている。なお、図１には図示の都合上、これらの部分の配色及び模様は示されていないが、図１において比較対象展示領域２３の開口部４と第一展示領域２１の開口部４との間に示されている太線を境界として、筐体３の外面の配色及び模様を変更している。
【００３０】
第一展示領域２１は、図１及び図４に示すように、筐体３の略中央に設けられる展示領域である。第一展示領域２１の奥側（すなわち開口部４に対向する側）の面には、図示しないが住宅の寝室の画像が背景として貼付されている。そして、第一展示領域２１の奥側の面の中央には、展示用警報器９が固定されている。展示用警報器９は、実際の高性能警報器と同じ外観形状であるが、主制御部８から受信した信号に基づいて、火災警報及びＣＯ濃度警報を出力するものである。展示用警報器９には火災警報やＣＯ濃度警報を出力する際に点滅する発光部９ｂやスピーカ９ａが設けられており、内部にはこれら発光部９ｂやスピーカ９ａを制御可能な図示しないマイコンが内蔵されている。なお、展示用警報器９は展示に用いるものであるので、実際の高性能警報器と同じ機能を有している必要はなく、例えばスピーカ９ａは、火災警報器の展示装置１内の別の位置に設けて見学者が聞き取りやすい位置で火災警報などの音声を出力するように構成してもよい。
【００３１】
第一展示領域２１の上部には、第一光源１０が設けられている。第一光源１０は第一展示領域２１を照明する光源である。第一光源１０は例えばＬＥＤのユニットにより構成されており、その発光色を白色、薄黄色、及び黄色に変更することができるものである。なお第一光源１０の発光色はこれに限定されるものではない。また、例えば着色されたフィルタを用いて発光色を変更するものであってもよい。第一展示領域２１の展示用警報器９の下側には、擬似火元１１ａが設けられている。擬似火元１１ａはタバコを模した形状及び配色であり、先端が赤く発光することができるように構成されている。
【００３２】
第二展示領域２２は、図１において、筐体３の右側に設けられる展示領域である。第二展示領域２２の奥側の面には、図示しないが住宅の居間の画像が背景として貼付されている。そして、第二展示領域２２の奥側の面の中央には、図４に示すように、別室検知用警報器１２が設けられている。別室検知用警報器１２は、高性能警報器と同じ外観形状である。なお、第一展示領域２１の展示用警報器９で火災警報及びＣＯ濃度警報を出力するタイミングを説明可能であるので、別室検知用警報器１２は、必ずしも火災警報及びＣＯ濃度警報を出力可能である必要はない。
【００３３】
第二展示領域２２の上部には、図２に示すように、第二光源１３が設けられている。第二光源１３は第二展示領域２２を照明する光源である。なお、第二光源１３は、すくなくとも白色のみに発光すればよい。第一展示領域２１及び第二展示領域２２には、図１及び図４に示すように、展示用警報器９と別室検知用警報器１２との間を結ぶように複数のＬＥＤが等間隔で配置されており、擬似通信ケーブル１４を形成している。擬似通信ケーブル１４は、展示用警報器９及び別室検知用警報器１２の間で通信が行われていることや、展示用警報器９及び別室検知用警報器１２との間における通信方向を擬似的に示すものである。例えば、後述するように別室検知用警報器１２が煙濃度が火災の発生を疑う値であると判断した旨の情報を展示用警報器９に送信したことを示す場合には、別室検知用警報器１２から展示用警報器９に向かって、順次ＬＥＤの点灯と消灯が行われる。
【００３４】
比較対象展示領域２３は、図１において、筐体３の左側に設けられる展示領域である。比較対象展示領域２３の奥側の面の中央には、図１及び図４に示すように比較用警報器１５が固定されている。比較用警報器１５は、従来の火災警報器と同じ外観形状であり、主制御部８から受信した信号に基づいて、火災警報を出力する。比較用警報器１５には火災警報を出力する際に点滅する発光部１５ｂやスピーカ１５ａが設けられており、内部にはこれら発光部１５ｂやスピーカ１５ａを制御可能なマイコンが内蔵されている。比較対象展示領域２３には、図２及び図４に示すように、第三光源１６及び擬似火元１１ｂがそれぞれ設けられているが、第一展示領域２１の第一光源１０及び擬似火元１１ａと同じ構成であるので、説明を省略する。
【００３５】
前面板５は、図１及び図２に示すように、前述の通り、第一展示領域２１の開口部４を覆う第一前面板５１、第二展示領域２２の開口部４を覆う第二前面板５２、比較対象展示領域２３の開口部４を覆う第三前面板５３に分けられる。これら前面板５は、透明状態と４段階の白濁状態に制御することができるものである。ここで本発明における「透明状態」とは、可視光を透過し展示空間２が透けて見える状態をいう。なお、完全な透明に限定されるものではなく、各展示領域に設置された各警報器が十分に視認できる程度に透明であればよい。また、本発明における「白濁状態」とは、可視光を前面板５で乱反射させ、又は前面板５自体を発光させるなどして、火災警報器の展示装置１を見学する人が白く濁った状態を視認することにより、擬似的に煙が発生していると理解できる状態をいう。そして本発明における「白濁度」とは、白濁状態において、各警報器がどの程度視認できるかをいい、例えば、光透過率、ヘイズ値、又は濁度などの数値により示すことができる値である。
【００３６】
前面板５はアクリル板の一方の面に、光を乱反射させる状態と光を透過させる状態とを通電により制御可能なフィルムが貼付されたものである。このようなフィルムは例えば通電により配向を変更可能な機能性液晶フィルムを用いることができる。また、例えばアクリル板に通常の光源とは異なる方向から白色光を照射して乱反射させることにより白濁状態を実現させるものであってもよい。
【００３７】
操作部６は、図３に示すように、第一展示領域２１及び比較対象展示領域２３の状態を擬似的に操作する第一操作部６１と、第二展示領域２２の状態を擬似的に操作する第二操作部６２とに分けられる。第一操作部６１には、第一煙濃度入力部６３、第一ＣＯ濃度入力部６４、及び第一リセット入力部６５が設けられている。そして第一煙濃度入力部６３は、２％／ｍ、５％／ｍ、７．５％／ｍ、及び１０％／ｍの４段階の擬似煙濃度を入力可能に構成されている。また、第一ＣＯ濃度入力部６４には、３０ｐｐｍ及び５５０ｐｐｍの２段階の擬似ＣＯ濃度を入力可能に構成されている。第一展示領域２１及び比較対象展示領域２３の擬似煙濃度及び擬似ＣＯ濃度は、同一の値とすることにより火災警報器の性能の比較に信憑性を持たせるものであるので、第一展示領域２１及び比較対象展示領域２３の擬似煙濃度及び擬似ＣＯ濃度は、第一操作部６１の各入力部６３，６４，６５の入力に連動して、同じ値で変動する。
【００３８】
また、第二操作部６２には、第二煙濃度入力部６６及び第二リセット入力部６７が設けられている。第二煙濃度入力部６６には、５％／ｍのみの擬似煙濃度を入力可能に構成されている。第二操作部６２の各入力部の入力に連動して第二展示領域２２の擬似煙濃度は変動する。
【００３９】
表示部７は、図１及び図５に示すように、比較対象展示領域２３の上に設けられ、比較対象展示領域２３の状態を表示する比較対象住宅表示領域７ａと、第一展示領域２１及び第二展示領域２２の上に設けられ、当該第一展示領域２１及び第二展示領域２２の状態を表示する本住宅表示領域７ｂが設けられている。比較対象住宅表示領域７ａには、比較用煙警報濃度メーター７１、比較用煙濃度メーター７２、比較用ＣＯ濃度メーター７３がそれぞれ棒グラフ状のメーターとして表示されている。具体的には、一列に並んだ発光できるセグメント素子を左から順次点灯させることにより、各種の値を表示するものである。
【００４０】
比較用煙警報濃度メーター７１は、従来の火災警報器が火災の発生を検知して火災警報を出力する値である比較用警報器１５の火災検知閾値を表示するメーターである。なお、本発明における「火災警報条件とは異なる条件」は、本実施形態においては比較用警報器１５の火災検知閾値がこれに相当する。この比較用警報器１５の火災検知閾値は、本実施形態においては、常に１０％／ｍである。したがって、比較用煙警報濃度メーター７１は常に１０％／ｍを表示している。
【００４１】
比較用煙濃度メーター７２及び比較用ＣＯ濃度メーター７３は、操作部６の第一煙濃度入力部６３、第一ＣＯ濃度入力部６４がそれぞれ受け付けた擬似煙濃度及び擬似ＣＯ濃度を表示するものである。比較用煙濃度メーター７２は、２％／ｍ、５％／ｍ、７．５％／ｍ、及び１０％／ｍの４段階が表示可能であり、また、比較用ＣＯ濃度メーター７３は、３０ｐｐｍ及び５５０ｐｐｍの２段階が表示可能に構成されている。
【００４２】
本住宅表示領域７ｂは、第一展示領域２１の上に第一居室表示領域７ｃが形成されており、第二展示領域２２の上に第二居室表示領域７ｄが形成されている。第一居室表示領域７ｃには、第一煙警報濃度メーター７４、第一煙濃度メーター７５、第一ＣＯ濃度メーター７６がそれぞれ棒グラフ状のメーターとして表示されている。第二居室表示領域７ｄには、第二煙警報濃度メーター７７、第二煙濃度メーター７８がそれぞれ棒グラフ状のメーターとして表示されている。これらのメーターも比較対象住宅表示領域７ａにおける各メーターと同様に、一列に並んだ発光できるセグメント素子を左から順次点灯させることにより、各種の値を表示するものである。
【００４３】
第一煙警報濃度メーター７４は、高性能警報器が火災発生を検知して火災警報を出力する値である展示用警報器９の火災検知閾値を表示するメーターである。なお、本発明における「所定の火災検知閾値」は本実施形態における展示用警報器９の火災検知閾値がこれに相当する。この火災検知閾値は、通常値と低設定値とが設定されており、通常値は１０％／ｍで、低設定値は７．５％／ｍである。展示用警報器９の火災検知閾値は、操作部６の第一ＣＯ濃度入力部６４が入力を受け付ける擬似ＣＯ濃度が３０ｐｐｍ以上である場合、及び操作部６の第二煙濃度入力部６６が５％／ｍの擬似煙濃度の入力を受け付ける場合に、低設定値に引き下げられる。ここで、本発明における「所定の煙濃度異常値」は、本実施形態においては５％／ｍであり、「所定のＣＯ濃度異常値」は、本実施形態においては３０ｐｐｍである。
【００４４】
第一煙濃度メーター７５及び第一ＣＯ濃度メーター７６は、比較用煙濃度メーター７２及び比較用ＣＯ濃度メーター７３と同様の構成であり、同じ内容を表示をするものであるので、その説明を省略する。
【００４５】
第二煙警報濃度メーター７７は、別室検知用警報器１２の火災検知閾値を表示するメーターである。別室検知用警報器１２は本実施形態においては展示用警報器９と同じ高性能警報器の展示物であるので、別室検知用警報器１２の火災検知閾値は、展示用警報器９の火災検知閾値と同様に、通常値と低設定値とが設定されており、通常値は１０％／ｍで、低設定値は７．５％／ｍである。別室検知用警報器１２の火災検知閾値は、操作部６の第一煙濃度入力部６３に５％／ｍ以上の擬似煙濃度の入力を受け付ける場合に、低設定値に引き下げられる。
【００４６】
第二煙濃度メーター７８は、操作部６の第二煙濃度入力部６６が受け付けた擬似煙濃度を表示するものであり、第二煙濃度入力部６６は５％／ｍの擬似煙濃度しか受け付けることはないので、第二煙濃度メーター７８は、第二表示領域の擬似煙濃度が０％／ｍであることを示すメーターの全セグメント素子が消灯した状態と、擬似煙濃度が５％／ｍであることを示す状態のいずれかが表示されている。
【００４７】
主制御部８は、図２に示すように、操作部６からの入力に基づいて、前面板５、各警報器９，１２，１５、各光源１０，１３，１６、表示部７などの火災警報器の展示装置１の各部の状態を制御するものである。主制御部８は、例えばＭＰＵ(Micro Processing Unit)であるが、これに限られるものではなく、操作部６からの入力に基づいて各部の状態を制御できる構成であれば、如何なる構成のものであってもよい。なお、本実施形態においては、操作部６と各部とを繋ぐ位置に主制御部８を設けているが、これに限定されるものではなく、例えば各警報器９，１２，１５内に設けられたマイコンやその他の各部に設けられた制御装置が協同して、火災警報器の展示装置１を制御するものであってもよい。
【００４８】
次に、以上のように構成される火災警報器の展示装置１の操作部６が入力を受け付けた場合に主制御部８が行う処理の一例を図６から図８を参照しつつ説明する。操作部６は、第一煙濃度入力部６３、第一ＣＯ濃度入力部６４、第一リセット入力部６５、第二煙濃度入力部６６、第二リセット入力部６７がそれぞれ独立して入力可能であり、第一展示領域２１及び比較対象展示領域２３の擬似煙濃度と擬似ＣＯ濃度とがそれぞれ独立して入力可能である。なお、連続する処理は順不同であり、各判断が行われる順序も図６から図８に記載の順である必要はない。
【００４９】
まず、図６において、主制御部８は、第一煙濃度入力部６３に入力があったか否か判断する（Ｓ１００）。第一煙濃度入力部６３に入力があったと判断すると（Ｓ１００：ＹＥＳ）、第一前面板５１及び第三前面板５３を入力された擬似煙濃度に対応する白濁度に制御する（Ｓ１０１）。すなわち、入力値が２％／ｍの場合には低い白濁度の白濁状態に制御し、入力値が５％／ｍ、７．５％／ｍ、１０％／ｍと高くなるに従ってより高い白濁度の白濁状態に制御する。これにより、第一前面板５１及び第三前面板５３を透過して第一展示領域２１及び比較対象展示領域２３を視認するときには、入力値が上がるに従って煙濃度が高くなっているように見学者に認識させることができる。
【００５０】
第一前面板５１及び第三前面板５３を白濁状態に制御すると、次に、表示部７の第一煙濃度メーター７５及び比較用煙濃度メーター７２の表示を入力値に応じて変更する（Ｓ１０２）。さらに、タバコを模した擬似火元１１ａ，１１ｂを点灯し（Ｓ１０３）、火のついたタバコが火元となって火事が発生したことを演出する。
【００５１】
そして、次に制御部は、第一煙濃度入力部６３に入力された擬似煙濃度が煙濃度異常値以上であるか否か判断する（Ｓ１０４）。煙濃度異常値は、本実施形態においては、５％／ｍである。ここで煙濃度異常値とは、火災検知閾値よりも低い値であり、この数値単独では火災が発生したと判断することができる値ではないが、火災の発生が疑われる数値である。
【００５２】
第一煙濃度入力部６３に入力された擬似煙濃度が煙濃度異常値以上であると判断すると（Ｓ１０４：ＹＥＳ）、次に、第二煙警報濃度メーター７７の表示を変更する（Ｓ１０５）。具体的には第二煙警報濃度メーター７７の表示を１０％／ｍから７．５％／ｍに引き下げる。すなわち、Ｓ１０４において第一展示領域２１の擬似煙濃度が異常であると判断されたので、第二展示領域２２に設けられた別室検知用警報器１２の火災検知閾値を引き下げることにより、早期に火災の発生を検知し、火災警報を出力できる状態となっていることを、見学者に示している。
【００５３】
第二煙警報濃度メーター７７の表示を変更すると（Ｓ１０５）、次に、擬似通信ケーブル１４を点灯する（Ｓ１０６）。すなわち、第一展示領域２１の展示用警報器９が煙濃度が異常値であると判断した旨の情報を、第二展示領域２２の別室検知用警報器１２に送信したことを、見学者に示している。Ｓ１０４において、第一煙濃度入力部６３に入力された擬似煙濃度が煙濃度異常値以上でないと判断すると（Ｓ１０４：ＮＯ）、そのまま、処理をＳ１０７に進める。
【００５４】
Ｓ１０６の処理を行うと、次に、第一煙濃度入力部６３に入力された擬似煙濃度が展示用警報器９の火災検知閾値以上であるか否か判断する（Ｓ１０７）。具体的には、主制御部８の図示しないメモリー又は展示用警報器９のマイコンに記憶されている火災検知閾値と入力された擬似煙濃度の値とを比較して判断する。火災検知閾値以上であると判断すると（Ｓ１０７：ＹＥＳ）、火災が発生していると判断するので、展示用警報器９に警報を出力させる（Ｓ１０８）。具体的には、展示用警報器９の発光部９ｂが火災警報を示す点滅を行うとともに、スピーカ９ａから火災が発生していることを知らせるブザー又は音声が出力される。Ｓ１０７において、火災検知閾値以上でないと判断すると、Ｓ１０９に処理を進める。
【００５５】
そして、次に、第一煙濃度入力部６３に入力された擬似煙濃度が１０％／ｍ以上であるか否か判断する（Ｓ１０９）。この判断処理における１０％／ｍは、比較用警報器１５の火災検知閾値である。比較用警報器１５の火災検知閾値は常に１０％／ｍである。擬似煙濃度が１０％／ｍ以上であると判断すると（Ｓ１０９：ＹＥＳ）、比較用警報器１５でも火災が発生していると判断するので、比較用警報器１５に警報を出力させる（Ｓ１１０）。具体的には、比較用警報器１５の発光部１５ｂが火災警報を示す点滅を行うとともに、スピーカ１５ａから火災が発生していることを知らせるブザー又は音声が出力される。Ｓ１０９において、擬似煙濃度が１０％／ｍ以上でないと判断すると（Ｓ１０９：ＮＯ）、そのままスタートに戻って、新たにＳ１００から処理を繰り返す。
【００５６】
Ｓ１００に戻って、第一煙濃度入力部６３に入力がなかったと判断すると（Ｓ１００：ＮＯ）、次に、操作部６の第一ＣＯ濃度入力部６４に入力があったか否か判断する（Ｓ１１１）。第一ＣＯ濃度入力部６４に入力があったと判断すると（Ｓ１１１：ＹＥＳ）、後述する第一ＣＯ濃度入力処理を行い（Ｓ２００）、その後、スタートに戻って、新たにＳ１００から処理を繰り返す。
【００５７】
第一ＣＯ濃度入力部６４に入力がなかったと判断すると（Ｓ１１１：ＮＯ）、次に、操作部６の第二煙濃度入力部６６に入力があったか否か判断する（Ｓ１１２）。第二煙濃度入力部６６に入力があったと判断すると（Ｓ１１２：ＹＥＳ）、後述する第二展示領域２２の煙濃度入力処理を行い（Ｓ３００）、その後スタートに戻って、新たにＳ１００から処理を繰り返す。
【００５８】
第二煙濃度入力部６６に入力がなかったと判断すると（Ｓ１１２：ＮＯ）、次に、操作部６の第一リセット入力部６５に入力があったか否か判断する（Ｓ１１３）。第一リセット入力部６５の入力があったと判断すると（Ｓ１１３：ＹＥＳ）、第一展示領域２１の展示用警報器９、擬似火元１１ａ、比較対象展示領域２３の比較用警報器１５、擬似火元１１ｂ、第一前面板５１、第三前面板５３などの各部の状態をリセットし（Ｓ１１４）、その後スタートに戻って、新たにＳ１００から処理を繰り返す。
【００５９】
第一リセット入力部６５に入力がなかったと判断すると（Ｓ１１３：ＮＯ）、次に、操作部６の第二リセット入力部６７に入力があったか否か判断する（Ｓ１１５）。第二リセット入力部６７の入力があったと判断すると（Ｓ１１５：ＹＥＳ）、第二展示領域２２の展示用警報器９、及び第二前面板５２などの各部の状態をリセットし（Ｓ１１６）、その後スタートに戻って、新たにＳ１００から処理を繰り返す。
【００６０】
次に、第一ＣＯ濃度入力処理について図７を参照しつつ説明する。図６のＳ１１１において、第一ＣＯ濃度入力部６４に入力があったと判断すると（Ｓ１１１：ＹＥＳ）、第一光源１０及び第三光源１６の発光色を変更する（Ｓ２０１）。具体的には、通常白色の光源１０，１６が、第一ＣＯ濃度入力部６４に擬似ＣＯ濃度として３０ｐｐｍが入力されると、薄黄色の発光色に変更され、第一ＣＯ濃度入力部６４に擬似ＣＯ濃度として５５０ｐｐｍが入力されると、黄色の発光色に変更される。これにより、第一展示領域２１及び比較対象展示領域２３に擬似的に一酸化炭素がそれぞれの濃度で存在していることを見学者に理解させることができる。なお、実際の一酸化炭素は、無色透明であるが、擬似的に黄色で示すことで、見学者に視認可能となる。
【００６１】
Ｓ２０１の処理が終わると、次に表示部７の第一ＣＯ濃度メーター７６及び比較用ＣＯ濃度メーター７３の表示を第一ＣＯ濃度入力部６４が入力を受け付けた擬似ＣＯ濃度に変更する（Ｓ２０２）。そして、次に、第一ＣＯ濃度入力部６４が受け付けた擬似ＣＯ濃度がＣＯ濃度異常値以上であるか否か判断する（Ｓ２０３）。ＣＯ濃度異常値は、本実施形態においては、３０ｐｐｍである。ここでＣＯ濃度異常値とは、ＣＯ濃度警報を出力するＣＯ警報基準値よりも低い数値であり、この数値単独では換気や避難を促すＣＯ濃度警報を出力しなければならないほどの値ではないが、火災の発生が疑われる数値である。
【００６２】
第一ＣＯ濃度入力部６４が受け付けた擬似ＣＯ濃度がＣＯ濃度異常値以上であると判断すると（Ｓ２０３：ＹＥＳ）、展示用警報器９の火災検知閾値を引き下げる（Ｓ２０４）。具体的には主制御部８のメモリ又は、展示用警報器９のマイコン内に記憶されている火災検知閾値を通常値から低設定値に引き下げる。そして、次に表示部７の第一煙警報濃度メーター７４の表示を１０％／ｍから７．５％／ｍに変更し（Ｓ２０５）、Ｓ２０６に処理を進める。Ｓ２０３において、入力された擬似ＣＯ濃度がＣＯ濃度異常値以上でないと判断すると（Ｓ２０３：ＮＯ）、そのままＳ２０６に処理を進める。
【００６３】
Ｓ２０６では、第一ＣＯ濃度入力部６４が受け付けた擬似ＣＯ濃度が３０ｐｐｍ以上であるか否か判断する。３０ｐｐｍ以上であると判断されると（Ｓ２０６：ＹＥＳ）、第一展示領域２１及び比較対象展示領域２３の擬似煙濃度として、主制御部８のメモリーに記憶されている値が２％／ｍ以上であるか否か判断する（Ｓ２０７）。第一展示領域２１及び比較対象展示領域２３の擬似煙濃度が２％／ｍ以上であると判断すると（Ｓ２０７：ＹＥＳ）、第二煙警報濃度メーター７７の表示を１０％／ｍから７．５％／ｍに変更する（Ｓ２０８）。すなわち、第一展示領域２１の擬似ＣＯ濃度が３０ｐｐｍ以上で、且つ、擬似煙濃度が２％／ｍ以上の場合は、それぞれ警報を出力するほどの濃度ではないものの、火災の発生が疑われるので、別室検知用警報器１２の火災検知閾値を通常値から低設定値に変更していることを、見学者に示している。
【００６４】
そして、Ｓ２０８の処理を終了すると、次に、擬似通信ケーブル１４を点灯させる（Ｓ２０９）。すなわち、第一展示領域２１の展示用警報器９が煙濃度及びＣＯ濃度が通常よりも高く火災が疑われると判断した旨の情報を、第二展示領域２２の別室検知用警報器１２に送信したことを、見学者に示している。Ｓ２０９の処理を終了すると、次にＳ２１０に処理を進める。
【００６５】
Ｓ２０６において、擬似ＣＯ濃度が３０ｐｐｍ以上でないと判断し（Ｓ２０６：ＮＯ）、又は、Ｓ２０７において、擬似煙濃度が２％／ｍ以上でないと判断した場合（Ｓ２０７：ＮＯ）にはそのまま処理をＳ２１０に進める。
【００６６】
Ｓ２１０では、第一ＣＯ濃度入力部６４が受け付けた擬似ＣＯ濃度がＣＯ警報基準値以上であるか否か判断する。ＣＯ警報基準値は本実施形態においては５５０ｐｐｍである。ＣＯ警報基準値以上であると判断すると（Ｓ２１０：ＹＥＳ）、ＣＯ濃度警報を出力して（Ｓ２１１）、この処理を終了し、図６のスタートに戻って、新たにＳ１００から判断処理を繰り返す。具体的には、展示用警報器９の発光部９ｂがＣＯ濃度警報を示す点滅を行うとともに、スピーカ９ａからＣＯ濃度が高いことを知らせるブザー又は音声が出力される。なお本実施形態においては、比較用警報器１５はＣＯ濃度警報を検知するものではないので、ＣＯ濃度警報を出力することはないが、比較用警報器１５としてＣＯ濃度を検知可能な従来の警報器を使用する場合には、Ｓ２１１の処理において、比較用警報器からもスピーカ１５ａ及び発光部１５ｂからＣＯ濃度警報を出力してもよい。Ｓ２１０において、ＣＯ警報基準値以上でないと判断すると（Ｓ２１０：ＮＯ）、そのまま図６のスタートに戻り、新たにＳ１００から判断処理を繰り返す。
【００６７】
次に、第二展示領域２２の煙濃度入力処理について図８を参照しつつ説明する。図６のＳ１１２において、第二煙濃度入力部６６に入力があったと判断すると（Ｓ１１２：ＹＥＳ）、第二前面板５２を白濁状態に制御する（Ｓ３０１）。なお、第二煙濃度入力部６６は５％／ｍのみ入力できるので、第二前面板５２は擬似煙濃度が５％／ｍである場合の白濁度に制御される。そして、表示部７の第二煙濃度メーター７８の表示を５％／ｍに変更する（Ｓ３０２）。そして、次に、第二煙濃度入力部６６が入力を受け付けた擬似煙濃度が煙濃異常値以上であるか否か判断する（Ｓ３０３）。煙濃度異常値は、本実施形態においては、５％／ｍであり、入力される値も５％／ｍのみであるので、実際にはこの判断をするまでもなく、第二煙濃度入力部６６が入力を受け付けた擬似煙濃度は煙濃度異常値以上である（Ｓ３０３：ＹＥＳ）。したがって、実際にはこの判断処理を省略してもよいが、本実施形態では主制御部８の処理をわかり易く説明するためにこの判断処理を設けている。
【００６８】
そして、第二煙濃度入力部６６が入力を受け付けた擬似煙濃度が煙濃度異常値以上であると判断すると（Ｓ３０３：ＹＥＳ）、次に、展示用警報器９の火災検知閾値を引き下げる（Ｓ３０４）。具体的には主制御部８のメモリ又は、展示用警報器９のマイコン内に記憶されている火災検知閾値を通常値から低設定値に引き下げる。そして、次に表示部７の第一煙警報濃度メーター７４の表示を１０％／ｍから７．５％／ｍに変更し（Ｓ３０５）、次に、擬似通信ケーブル１４を点灯させる（Ｓ３０６）。すなわち、第二展示領域２２の別室検知用警報器１２が煙濃度が火災の発生を疑う値であると判断した旨の情報を、第一展示領域２１の展示用警報器９に送信したことを、見学者に示している。Ｓ３０６の処理を終了すると、図６のスタートに戻って、新たにＳ１００から判断処理を繰り返す。Ｓ３０３において、第二煙濃度入力部６６が入力を受け付けた擬似煙濃度が煙濃度異常値以上でないと判断すると（Ｓ３０３：ＮＯ）、そのまま図６のスタートに戻って、新たにＳ１００から判断処理を繰り返す。
【００６９】
以上のように、本実施形態の火災警報器の展示装置１によると、操作部６の第一煙濃度入力部６３が受け付けた擬似煙濃度に対応して、第一前面板５１及び第三前面板５３の白濁度が制御され、第二煙濃度入力部６６が受け付けた擬似煙濃度に対応して、第二前面板５２の白濁度が制御されるので、展示空間２の第一展示領域２１、比較対象展示領域２３、第二展示領域２２にそれぞれ煙が充満している状態を、擬似的に示すことができる。また、火災警報器の展示装置１は、操作部６の第一ＣＯ濃度入力部６４が擬似ＣＯ濃度の入力を受付たときに、第一展示領域２１の第一光源１０及び比較対象展示領域２３の第三光源１６の発光色を白色から薄黄色又は黄色に変化させるので、展示空間２に一酸化炭素が充満する様子をわかり易く説明することができる。
【００７０】
したがって、安全、且つ、換気の必要もなく、煙や一酸化炭素が充満する状態を示すことができるので、展示用警報器９が火災警報やＣＯ濃度警報を出力するタイミングを視覚的にわかり易く示すことができ、火災警報器の性能をわかり易く説明することができる。
【００７１】
特に、第一ＣＯ濃度入力部６４が受け付けた擬似ＣＯ濃度に基づいて、第一展示領域２１の火災検知閾値を１０％／ｍから７．５％／ｍに引き下げるので、ＣＯ濃度に異常があった場合に、通常よりも低い煙濃度でも火災と判断して火災警報を出力することができ、火災を早期に感知することができることをわかり易く説明することができる。
【００７２】
また、本実施形態の火災警報器の展示装置１は、展示用警報器９を設置する第一展示領域２１の他に、別室検知用警報器１２を設置する第二展示領域２２を有しており、筐体３の上面の屋根を模した形状や筐体３の配色や模様を統一することで、第一展示領域２１と第二展示領域２２とが同一建物内の別室であるように認識できるように構成しており、第二煙濃度入力部６６が入力を受け付ける擬似煙濃度に基づいて、第一展示領域２１の火災検知閾値を１０％／ｍから７．５％／ｍに引き下げるので、第二展示領域２２の煙濃度に異常があった場合にも、通常よりも低い煙濃度でも火災と判断して火災警報を出力することができ、火災を早期に感知することができることをわかり易く説明することができる。展示用警報器９と別室検知用警報器１２との間には擬似通信ケーブル１４が設けられているので、展示用警報器９と別室検知用警報器１２とが通信して火災検知閾値の値を制御していることを視覚的にわかり易く示すことができる。
【００７３】
また、本実施形態の火災警報器の展示装置１は、展示用警報器９を設置する第一展示領域２１の他に、比較用警報器１５を設置する比較対象展示領域２３を有しており、筐体３の上面の屋根を模した形状や筐体３の配色や模様を異ならせることで、第一展示領域２１と比較対象展示領域２３とが別建物であると認識できるように構成しており、比較警報器の火災検知閾値は常に１０％／ｍであるので、第二展示領域２２の擬似煙の濃度や第一展示領域２１の擬似ＣＯ濃度に基づいて展示用警報器９の火災検知閾値の値が引き下げられる点と比較させることによって、高性能警報機である展示用警報器９が従来の火災警報器に比べて、誤警報を起こすことなく火災の発生を早期に発見できるものであることをわかり易く示すことができる。
【００７４】
なお、本発明の実施の形態は上述の形態に限ることなく、本発明の思想の範囲を逸脱しない範囲で適宜変更することができることは云うまでもない。
【００７５】
例えば、比較対象展示領域２３や第二展示領域２２は必須の構成ではなく、少なくとも、第一展示領域２１及び第一前面板５１を有していれば、火災警報器の性能を最低限安全にわかりやすく示すことができる。
【産業上の利用可能性】
【００７６】
本発明に係る火災警報器の展示装置１は、例えば住宅設備の技術を展示する施設などにおいて好適に用いることができる。
【符号の説明】
【００７７】
１      火災警報器の展示装置
２      展示空間
３      筐体
４      開口部
５      前面板
６      操作部
７      表示部
９      展示用警報器
１０    第一光源（光源）
１５    比較用警報器
２１    第一展示領域
２２    第二展示領域
２３    比較対象展示領域
【図１】
0006045039.tif 000002
【図２】
0006045039.tif 000003
【図３】
0006045039.tif 000004
【図４】
0006045039.tif 000005
【図５】
0006045039.tif 000006
【図６】
0006045039.tif 000007
【図７】
0006045039.tif 000008
【図８】
0006045039.tif 000009